(57)【要約】【課題】機器の設置状態が変化してもその機器にコネクタを容易に接続することができるコネクタ接続構造、コネクタおよび電子機器を提供する。【解決手段】第１の設置状態において底側に位置する第１の面と、第２の設置状態において底側に位置する第２の面と、第１の面と第２の面との間に介在する辺部とを有する筐体における前記辺部に設けられ、接続対象であるコネクタの端子部と接続する端子部と、接続されたコネクタとの接続状態を維持する固定部とを備えるコネクタ接続構造である。【選択図】図７
2013008545.tif 000002
【特許請求の範囲】
【請求項１】
第１の設置状態において底側に位置する第１の面と、第２の設置状態において底側に位置する第２の面と、前記第１の面と前記第２の面との間に介在する辺部とを有する筐体における前記辺部に設けられ、
接続対象であるコネクタの端子部と接触する端子部と、
接続されたコネクタとの接続状態を維持する固定部と
を備えるコネクタ接続構造。
【請求項２】
前記端子部は、左右対称に配置された複数の端子からなる
請求項１に記載のコネクタ接続構造。
【請求項３】
前記固定部は、左右対称に配置された複数の磁石からなる
請求項１に記載のコネクタ接続構造。
【請求項４】
前記端子部および前記固定部は、前記第１の面と前記第２の面とによって形成される角の角度の二等分線上に位置するように設けられている
請求項１に記載のコネクタ接続構造。
【請求項５】
コネクタ本体と、
前記コネクタ本体に設けられ、接続対象であるコネクタ接続構造の端子部と接触する端子部と、
前記コネクタ本体に設けられ、接続されたコネクタ接続構造との接続状態を維持する固定部と
を備えるコネクタ。
【請求項６】
前記端子部は、左右対称に配置された複数の端子からなる
請求項５に記載のコネクタ。
【請求項７】
前記固定部は、左右対称に配置された複数の磁石からなる
請求項５に記載のコネクタ。
【請求項８】
前記端子部は、接続対象である前記コネクタ接続構造における端子部と略同一の高さに位置するように設けられている
請求項５に記載のコネクタ。
【請求項９】
筐体とコネクタ接続部とを備える電子機器であって、
前記筐体は、該筐体の第１の設置状態において底側に位置する第１の面と、前記筐体の第２の設置状態において底側に位置する第２の面と、前記第１の面と前記第２の面との間に介在する辺部と有し、
前記コネクタ接続部は、
前記辺部に設けられ、接続対象であるコネクタの端子部と接触する端子部と、
前記辺部に設けられ、接続されたコネクタの接続状態を維持する固定部と
を備える電子機器。
【発明の詳細な説明】
【技術分野】
【０００１】
本技術は、コネクタ接続構造、コネクタおよび電子機器に関し、詳しくは接続する機器の設置状態が変化しても接続を行うことができるコネクタ接続構造、コネクタおよび電子機器に関する。
【背景技術】
【０００２】
従来から、オーディオプレーヤとオーディオジャックを接続するためにコネクタが用いられている（特許文献１）。また、コネクタはパーソナルコンピュータなどの電子機器に電力を供給するために電子機器とアダプタとを接続する、電子機器に外部からデータ等を伝送するために電子機器と外部機器と接続するためなどにも用いられている。
【先行技術文献】
【特許文献】
【０００３】
【特許文献１】特開２００５−５２４９１３号公報
【発明の概要】
【発明が解決しようとする課題】
【０００４】
しかし、そのようなコネクタは通常オーディオプレーヤ、パーソナルコンピュータなどの機器の側面に接続される構成がほとんどである。そのような構成の場合、機器の設置状態によってコネクタを接続する面がふさがっているとコネクタを接続することができない。このため、コネクタの接続のために機器の設置態様が制限されることとなる。
【０００５】
したがって、本技術の目的は、機器の設置状態が変化してもその機器にコネクタを容易に接続することができるコネクタ接続構造、コネクタおよび電子機器を提供することにある。
【課題を解決するための手段】
【０００６】
上述した目的を達成するために、本技術は、第１の設置状態において底側に位置する第１の面と、第２の設置状態において底側に位置する第２の面と、第１の面と第２の面との間に介在する辺部とを有する筐体における辺部に設けられ、接続対象であるコネクタの端子部と接触する端子部と、接続されたコネクタとの接続状態を維持する固定部とを備えるコネクタ接続構造である。
【０００７】
第２の技術は、コネクタ本体と、コネクタ本体に設けられ、接続対象であるコネクタ接続構造の端子部と接触する端子部と、コネクタ本体に設けられ、接続されたコネクタ接続構造との接続状態を維持する固定部とを備えるコネクタである。
【０００８】
第３の技術は、筐体とコネクタ接続部とを備える電子機器であって、筐体は、筐体の第１の設置状態において底側に位置する第１の面と、筐体の第２の設置状態において底側に位置する第２の面と、第１の面と前記第２の面との間に介在する辺部と有し、コネクタ接続部は、辺部に設けられ、接続対象であるコネクタの端子部と接触する端子部と、辺部に設けられ、接続されたコネクタの接続状態を維持する固定部とを備える電子機器である。
【発明の効果】
【０００９】
本技術によれば、電子機器の設置状態が変化しても容易に電子機器にコネクタを接続させることができる。
【図面の簡単な説明】
【００１０】
【図１】図１は、本技術にかかるコネクタ接続構造を備える電子機器の外観構成を示す図である。
【図２】図２は、コネクタ接続部の構成を示す図である。
【図３】図３Ａは、電子機器を起立させた状態における図２のＩＩＩ−ＩＩＩ断面図であり、図３Ｂは、電子機器を横に倒した状態における図２のＩＩＩ−ＩＩＩ断面図である。
【図４】図４Ａは、コネクタの外観構成を示す前方斜視図であり、図４Ｂは、コネクタの外観構成を示す後方斜視図である。
【図５】図５Ａは、電子機器を起立させた状態におけるコネクタ接続部とコネクタの側面断面図であり、図５Ｂは、電子機器を横に倒した状態におけるコネクタ接続部とコネクタの側面断面図である。
【図６】図６は、電子機器を起立させた状態におけるコネクタ接続部とコネクタとの接続態様を示す図である。
【図７】図７Ａは、電子機器を起立させた状態におけるコネクタ接続部とコネクタとの接続態様を示す図であり、図７Ｂは、電子機器を横に寝かせた状態におけるコネクタ接続部とコネクタとの接続態様を示す図である。
【図８】図８Ａは、電子機器を起立させた状態におけるコネクタ接続部とコネクタとの接続態様を示す断面図であり、図８Ｂは、電子機器を横に寝かせた状態におけるコネクタ接続部とコネクタとの接続態様を示す断面図である。
【発明を実施するための形態】
【００１１】
以下、本技術の実施の形態について図面を参照しながら説明する。ただし、本技術は以下の実施例のみに限定されるものではない。なお、説明は以下の順序で行う。
＜１．実施の形態＞
［１−１.電子機器およびコネクタ接続部の構成］
［１−２.コネクタの構成］
［１−３.コネクタとコネクタ接続部との接続］
＜２．変形例＞
【００１２】
＜１．実施の形態＞
［１−１.電子機器の構成］
まず、図１を参照して本技術に係る電子機器１の構成について説明する。図１は、電子機器１の外観構成を示す図である。本実施の形態においては、電子機器１はいわゆるタブレット型の端末機器として構成されている。
【００１３】
電子機器１は筐体１０と、筐体１０の一面に設けられた表示部２０、コネクタ１００を接続するためのコネクタ接続部３０、筐体１０内に収納された回路基板および各種回路等（図示せず。）から構成されている。筐体１０は、正面部１１、背面部１２、側面部１３、側面部１４および底面部１５を有し、正面視略四角形状、側面視略三角形状に構成されている。背面部１２と底面部１５との間に介在する丸状に形成された辺を辺部１６と称する。筐体１０は、プラスチックなどの合成樹脂、アルミニウムなどの金属製板などを用いて構成されている。
【００１４】
表示部２０は、ＬＣＤ（Liquid Crystal Display）、有機ＥＬ（Electro luminescence）ディスプレイ等により構成される表示手段である。表示部２０は、筐体１０の正面部１１の略中央に設けられている。表示部２０はタブレット型端末である電子機器１において画像、映像などを表示してユーザに提示する表示手段として機能するものである。
【００１５】
また、表示部２０はタッチパネル（図示せず。）と一体的に構成されたいわゆるタッチスクリーンとして構成されている。タッチパネルは、例えば静電容量方式、感圧式などのタッチパネルである。したがって、表示部２０はユーザが指、またはスタイラスと称されるペンなどを接触させることにより電子機器１に各種入力を行うことができる入力手段としても機能するものである。ただし、表示部２０は必ずしもタッチスクリーンとして構成されている必要はなく、表示機能のみを有するものであってもよい。
【００１６】
コネクタ接続部３０は、筐体１０の背面部１２と底面部１５との間に介在する辺部１６に設けられている。コネクタ接続部３０は電子機器１に電力を供給するためのコネクタ１００を接続するためのものである。コネクタ接続部３０の詳細な構成については後述する。
【００１７】
回路基板は、電子機器１全体の電源供給を制御する電源回路、電子機器１全体の動作を制御するメイン回路などを備える。さらに、通信用回路、チューナ回路、表示制御回路、音声処理回路、音声信号の増幅処理を行うアンプ回路なども備える。それら各種回路は電気的に接続された状態で回路基板に搭載されている。
【００１８】
電子機器１はこのように構成されており、図１Ａおよび図１Ｂに示すように、底面部１５を下面として起立させた状態で使用する事ができる。以下、図１Ａおよび図１Ｂに示すような電子機器１を起立させた状態を「起立状態」と称する。さらに、電子機器１は、図１Ｃおよび図１Ｄに示すように背面部１２を下面として寝かせた状態で使用することも可能である。以下、図１Ｃおよび図１Ｄに示すような電子機器１を横に寝かせた状態を「横倒状態」と称する。
【００１９】
電子機器１を起立状態で用いる場合とは、例えば、表示部２０に写真などの画像、映画などの映像を表示させてそれを鑑賞する場合がある。また、電子機器１を横倒状態で用いる場合とは、表示部２０にソフトウェアキーボードを表示させ、そのソフトウェアキーボードを用いて文字入力を行う場合などがある。
【００２０】
次に、コネクタ接続部３０の構成について説明する。図２はコネクタ接続部３０の構成を示す電子機器１の部分拡大図である。コネクタ接続部３０は、電子機器１の筐体１０の内側へへこんだ曲面凹状に形成されている。凹状に形成されたコネクタ接続部３０にコネクタ１００が嵌合することとなる。コネクタ接続部３０には受電端子部４０および磁石５１、５２が設けられている。
【００２１】
受電端子部４０はコネクタ接続部３０の幅方向略中央に設けられている。受電端子部４０は、第１ピン４１、第２ピン４２および第３ピン４３の３つのピンから構成されている。中央に位置する第１ピン４１は受電用の電源ラインである。第１ピン４１は導線（図示せず。）によって筐体１０内の回路基板の電源回路に接続されている。これにより、コネクタ１００から供給された電力を受電端子部４０を介して電源回路へ供給することができる。第２ピン４２および第３ピン４３はグランドとして機能するものである。
【００２２】
磁石５１、５２は受電端子部４０の左右にそれぞれ設けられている。磁石５１、５２はコネクタ１００が備える鉄板１３１、１３２を磁力で引きつけることにより、コネクタ１００とコネクタ接続部３０との接続状態を維持するためのものである。磁石５１、５２は、特許請求の範囲における固定部に相当するものである。なお、磁石５１、５２は図２に示すように、コネクタ接続部３０内の表面に設けてもよいし、筐体１０内部に設けてもよい。
【００２３】
本実施の形態においては、受電端子部４０の第１ピン４１と第２ピン４２間の距離と、第１ピン４１と第３ピン４３間の距離とは等しくなるように構成されている。また、第２ピン４２と磁石５１間の距離と、第３ピン４３と磁石５２間の距離とは等しくなるように構成されている。さらに、第１ピン４１、第２ピン４２、第３ピン４３、磁石５１、５２は一直線上に並ぶように設けられている。これにより、第１ピン４１、第２ピン４２、第３ピン４３、磁石５１、５２は、第１ピン４１を中心として左右対称となるように配置されている。
【００２４】
なお、本実施の形態においては、接続端子は３つのピンから構成されているが、ピンの数は３つの限られるものではない。左右対称に配置されていれば、ピンの数は３つ以上でも３つ以下であってもよい。また、磁石の数も２つに限られるものではなく、左右対称に配置されていればいくつであってもよい。
【００２５】
図３は、図２におけるＩＩＩ−ＩＩＩ断面図である。図３Ａは電子機器１が起立状態である場合におけるコネクタ接続部３０のＩＩＩ−ＩＩＩ断面図であり、図３Ｂは、電子機器１が横倒状態である場合におけるコネクタ接続部３０のＩＩＩ−ＩＩＩ断面図である。
【００２６】
受電端子部４０は、背面部１２と底面部１５間に介在する辺部１６の角度αの二等分線Ｌの延長上に位置するように設けられている。したがって、図３Ａに示す底面部１５から接続端子までの高さｈと、図３Ｂに示す背面部１２から接続端子までの高さｇとは略同一の高さとなる。また、受電端子部４０は、第１ピン４１、第２ピン４２および第３ピン４３が二等分線Ｌと略水平方向に突出するように設けられている。
【００２７】
［１−２.コネクタの構成］
次に、図４および図５を参照してコネクタ１００の構成について説明する。図４Ａはコネクタ１００の外観構成を示す前方斜視図である。コネクタ１００はコネクタ本体１１０、送電端子部１２０および鉄板１３１、１３２とから構成されている。
【００２８】
コネクタ本体１１０は、例えば、プラスチックなどの合成樹脂を用いて形成されている。コネクタ本体１１０の嵌合面１１１は、曲面凹状に形成されたコネクタ接続部３０に嵌合するように曲面状に形成されている。
【００２９】
送電端子部１２０は、コネクタ接続部３０の受電端子部４０と接触することにより受電端子部４０と電気的に接続され、ＡＣ（Alternating Current）アダプタ２００からの電力を電子機器１へ供給する。送電端子部１２０は、コネクタ本体１１０の嵌合面１１１の略中央に設けられている。送電端子部１２０は、第１接点板１２１、第２接点板１２２および第３接点板１２３の３つのピンから構成されている。中央に位置する第１接点板１２１は電子機器１への電力供給用の電源ラインである。第２接点板１２２および第３接点板１２３はグランドとして機能するものである。
【００３０】
図５に示すように、送電端子部１２０は、コネクタ１００をコネクタ接続部３０に嵌合させたときにコネクタ接続部３０側の受電端子部４０と接触するように、受電端子部４０と略同一の高さに位置するように設けられている。なお、上述したように電子機器１の起立状態における底面部１５から受電端子部４０までの高さｈと、電子機器１の横倒状態における背面部１２から受電端子部４０までの高さｇとは略同一である。そのため、電子機器１が図５Ａに示す起立状態であっても、図５Ｂに示す横倒状態であってもコネクタ１００の送電端子部１２０とコネクタ接続部３０の受電端子部４０とは略同一の高さに位置することとなる。また、送電端子部１２０は、受電端子部４０と対向するように、電子機器１の筐体１０の背面部１２と底面部１５がなす角の角度αの二等分線Ｌに対して垂直となるように設けるとよい。
【００３１】
鉄板１３１、１３２は、電子機器１のコネクタ接続部３０に設けられた磁石５１、５２の磁力に引きつけられることにより、コネクタ１００とコネクタ接続部３０の接続状態を維持するためのものである。なお、鉄板１３１、１３２は、コネクタ本体１１０の嵌合面１１１上に設けてもよいし、コネクタ本体１１０内に設けてもよい。
【００３２】
本実施の形態においては、送電端子部１２０の第１接点板１２１と第２接点板１２２間の距離と、第１接点板１２１と第３接点板１２３間の距離とは等しくなるように構成されている。さらに、第２接点板１２２と鉄板１３１間の距離と、第３接点板１２３と鉄板１３２間の距離とは等しくなるように構成されている。さらに、第１接点板１２１、第２接点板１２２、第３接点板１２３、鉄板１３１、１３２は一直線上に並ぶように設けられている。これにより、第１接点板１２１、第２接点板１２２、第３接点板１２３、鉄板１３１、１３２は第１接点板１２１を中心として左右対称となるように構成されている。
【００３３】
なお、本実施の形態においては、送電端子部１２０は３つの接点板から構成されているが、接点板の数は３つの限られるものではない。左右対称に構成してあれば、接点板の数は３つ以上でも３つ以下であってもよい。また、鉄板の数も２つに限られるものではなく、左右対称配置されていればいくつであってもよい。
【００３４】
図４Ｂはコネクタ１００の外観構成を示す後方斜視図である。コネクタ１００はＡＣアダプタ２００のプラグ２１０接続用の挿入口１１２を有する。挿入口１１２にＡＣアダプタのプラグ２１０が挿入されることによりＡＣアダプタ２００にコネクタ１００が接続される。挿入口１１２内には端子（図示せず。）が設けられており、その端子は導線などによって端子と接続されている。これにより、コネクタ１００とコネクタ接続部３０とを接続すると、ＡＣアダプタ２００から電力がコネクタ１００の端子を介して電子機器１へ供給される。
【００３５】
［１−３.コネクタとコネクタ接続部との接続］
コネクタ接続部３０とコネクタ１００とは上述のように構成されている。次に、コネクタ接続部３０とコネクタ１００との接続について説明する。まず、図６を参照してコネクタ接続部３０とコネクタ１００との接続の第１の態様について説明する。
【００３６】
図６Ａおよび図６Ｂは、電子機器１が起立状態で使用される場合を示すものである。図６Ａにおいては、ユーザがコネクタ接続部３０にコネクタ１００を嵌合させると、磁石５１と鉄板１３１、磁石５２と鉄板１３２とが磁力により接続され、コネクタ１００がコネクタ接続部３０内で固定される。そして、コネクタ１００の送電端子部１２０とコネクタ接続部３０の受電端子部４０とが接触することにより、電子機器１への電力供給が行われる。
【００３７】
一方、図６Ｂは図６Ａに示す状態からコネクタ１００を１８０度回転させた状態である。コネクタ接続部３０において、第１ピン４１、第２ピン４２、第３ピン４３、磁石５１、５２は、第１ピン４１を中心として左右対称となるように構成されている。また、コネクタ１００の第１接点板１２１、第２接点板１２２、第３接点板１２３、鉄板１３１、１３２は第１接点板１２１を中心として左右対称となるように配置されている。したがって、図６Ｂに示すように、コネクタ１００を１８０度回転させた状態であっても、コネクタ１００とコネクタ接続部３０とは接続可能であり、コネクタ１００の送電端子部１２０とコネクタ接続部３０の受電端子部４０とが接触するため、電子機器１への電力供給を行うことができる。また、磁石５１、５２と鉄板１３１、１３２も衝合して磁力で接続されるため、コネクタの接続状態を維持することができる。
【００３８】
これにより、ユーザはコネクタ１００をコネクタ接続部３０に接続する際に、コネクタ１００の向きを気にする必要がないので、迅速容易にコネクタ１００とコネクタ接続部３０とを接続させることができる。
【００３９】
次に、図７および図８を参照してコネクタ接続部３０とコネクタ１００との接続の第２の態様について説明する。図７Ａは、電子機器１が起立状態で使用される場合を示すものである。コネクタ接続部３０にコネクタ１００を嵌合させると、磁石５１、５２と鉄板１３１、１３２とが磁力により接続され、受電端子部４０と送電端子部１２０とが接触する。
【００４０】
一方、図７Ｂは、電子機器１が横倒状態で使用される場合を示すものである。電子機器１を図７Ａに示す起立状態から図７Ｂに示す横倒状態に変化させると、コネクタ接続部３０は左右反転することとなる。
【００４１】
コネクタ接続部３０において、第１ピン４１、第２ピン４２、第３ピン４３、磁石５１、５２は、第１ピン４１を中心として左右対称となるように構成されている。また、コネクタ１００の第１接点板１２１、第２接点板１２２、第３接点板１２３、鉄板１３１、１３２は第１接点板１２１を中心として左右対称となるように配置されている。したがって、コネクタ接続部３０が１８０度反転してもコネクタ１００を反転させることなく、コネクタ１００をコネクタ接続部３０に嵌合させ、受電端子部４０と送電端子部１２０と接触させるが可能である。
【００４２】
さらに、上述したように、コネクタ接続部３０において受電端子部４０は、背面部１２と底面部１５の間に介在する辺部１６の角度αの二等分線Ｌの延長上に位置するように設けられている。さらに、コネクタ１００において送電端子部１２０は、筐体１０における底面部１５または背面部１２から受電端子部４０までの高さと略同一の高さに設けられている。さらに、コネクタ１００の送電端子部１２０は背面部１２と底面部１５がなす角の角度αの二等分線Ｌに対して垂直となるように設けられている。したがって、図８Ａに示す起立状態であっても、図８Ｂに示す横倒状態であっても、コネクタ１００をコネクタ接続部３０に嵌合させると送電端子部１２０と受電端子部４０とが接触することとなる。
【００４３】
したがって、電子機器１が起立状態または横倒状態のどちらであってもコネクタ１００を反転させることなくコネクタ１００をコネクタ接続部３０に嵌合させて接続させることが可能である。さらに、送電端子部１２０の第１接点板１２１と受電端子部４０の第１ピン４１が接触し、送電端子部１２０の第２接点板１２２と受電端子部４０の第３ピン４３が接触し、送電端子部１２０の第２接点板１２３と受電端子部４０の第２ピン４２が接触するため、電子機器１への電力供給を行うことができる。
【００４４】
このように、本技術は起立状態と横倒状態の２つ以上の状態で用いられる機器におけるコネクタの接続に有効である。
【００４５】
本実施の形態においては、コネクタ１００は磁石の磁力により接続状態を維持される。そのため、コネクタ１００をコネクタ接続部３０に接続している状態において、不意にＡＣアダプタ２００のコードが大きな力で引っ張られた場合、コネクタ１００はコネクタ接続部３０から外れる。これにより、ＡＣアダプタ２００のコードを引っ張る力によりコードが断線するおそれがない。また、電源コードによって電子機器１が引っ張られて電子機器１がテーブル、机などから落下することがない。これにより、電子機器１の故障を防ぐことができる。
【００４６】
また、コネクタ接続部３０は、正面部１１とは逆側であり、背面部１２と底面部１５の間に介在する辺部１６に設けられている。これにより、表示部２０が設けられた正面部１１側からは電子機器１を使用するユーザに視認されないので、デザイン上の観点からも好ましい。
【００４７】
＜３．変形例＞
以上、本技術の一実施の形態について具体的に説明したが、本技術は上述の実施形態に限定されるものではなく、本技術の技術的思想に基づく各種の変形が可能である。
【００４８】
実施の形態では、コネクタ接続部３０側に磁石５１、５２を設け、コネクタ１００側に鉄板１３１、１３１を設けているが、逆の構成として、コネクタ接続部３０側に鉄板を設け、コネクタ１００側に磁石を設けるようにしてもよい。
【００４９】
また、コネクタ１００とコネクタ接続部３０との接続状態を維持するものは磁石と鉄板の組み合わせに限られず、爪状体を係止させることにより接続状態を維持する爪構造を採用してもよい。また、粘着性を有する素材を用いてもよい。
【００５０】
また、コネクタ１００は、ＡＣアダプタ２００のプラグ２１０に脱着可能に構成されているが、脱着可能ではなく、ＡＣアダプタ２００とコネクタ１００とは一体的に構成されてもよい。
【００５１】
また、筐体１０の辺部１６に凹状のコネクタ接続部３０を形成することなく受電端子部４０および磁石５１、５２を辺部１６に設けるようにしてもよい。
【００５２】
また、コネクタ１００とコネクタ接続部３０の用途は電力供給に限られず、光通信、データ転送などに用いることも可能である。
【００５３】
また、筐体の形状は、正面視略四角形状、側面視略三角形状に限られず、例えば直方体状、立方体状、平板状などであってもよい。
【００５４】
また、コネクタ接続部３０は辺部１６の長さ方向の略中央に設けられているが、コネクタ接続部３０の位置は辺部１６の略中央に限られず、辺部１６上であればどこに設けてもよい。
【００５５】
また、本技術にかかるコネクタ接続構造は、タブレット型端末に限られず、ラジオ、スピーカなどの機器にも用いることができる。
【００５６】
さらに、本技術は以下のような構成も取ることができる。
【００５７】
（１）第１の設置状態において底側に位置する第１の面と、第２の設置状態において底側に位置する第２の面と、前記第１の面と前記第２の面との間に介在する辺部とを有する筐体における前記辺部に設けられ、
接続対象であるコネクタの端子部と接触する端子部と、
接続されたコネクタとの接続状態を維持する固定部と
を備えるコネクタ接続構造。
【００５８】
（２）前記端子部は、左右対称に配置された複数の端子からなる
前記（１）に記載のコネクタ接続構造。
【００５９】
（３）前記固定部は、左右対称に配置された複数の磁石からなる
前記（１）または（２）に記載のコネクタ接続構造。
【００６０】
（４）前記端子部および前記固定部は、前記第１の面と前記第２の面とによって形成される角の角度の二等分線上に位置するように設けられている
前記（１）から（３）のいずれかに記載のコネクタ接続構造。
【００６１】
（５）コネクタ本体と、
前記コネクタ本体に設けられ、接続対象であるコネクタ接続構造の端子部と接触する端子部と、
前記コネクタ本体に設けられ、接続されたコネクタ接続構造との接続状態を維持する固定部と、
を備えるコネクタ。
【００６２】
（６）前記端子部は、左右対称に配置された複数の端子からなる
前記（５）に記載のコネクタ。
【００６３】
（７）前記固定部は、左右対称に配置された複数の磁石からなる
前記（５）または（６）に記載のコネクタ。
【００６４】
（８）前記端子部は、接続対象である前記コネクタ接続構造における端子部と略同一の高さに位置するように設けられている
前記（５）から（７）のいずれかに記載のコネクタ。
【００６５】
（９）筐体とコネクタ接続部とを備える電子機器であって、
前記筐体は、該筐体の第１の設置状態において底側に位置する第１の面と、前記筐体の第２の設置状態において底側に位置する第２の面と、前記第１の面と前記第２の面との間に介在する辺部と有し、
前記コネクタ接続部は、
前記辺部に設けられ、接続対象であるコネクタの端子部と接触する端子部と、
前記辺部に設けられ、接続されたコネクタの接続状態を維持する固定部と
を備える電子機器。
【符号の説明】
【００６６】
１・・・・・・・・電子機器
１０・・・・・・・筐体
１２・・・・・・・背面部
１５・・・・・・・底面部
１６・・・・・・・辺部
３０・・・・・・・コネクタ接続部
４０・・・・・・・受電端子部
５１、５２・・・・磁石
１３１、１３２・・鉄板
１００・・・・・・コネクタ
１１０・・・・・・コネクタ本体
１２０・・・・・・送電端子部
【図３】
2013008545.tif 000003
【図５】
2013008545.tif 000004
【図８】
2013008545.tif 000005
【図１】
2013008545.tif 000006
【図２】
2013008545.tif 000007
【図４】
2013008545.tif 000008
【図６】
2013008545.tif 000009
【図７】
2013008545.tif 000010